(57)【要約】      （修正有）【課題】空調機本体とバックハンガーとの係止状態に異常が生じた場合に、異常が生じたことを使用者に気付かせることができる技術を提供する。【解決手段】壁掛式空調機は、バックハンガー２と、空調機本体３とを備える。バックハンガーは、第１係止部２１および第２係止部２２を有し、壁面に固定される。空調機本体は、第１被係止部３１を有し、第１被係止部が第１係止部に係止されることによってバックハンガーに支持される。また、空調機本体は、第２被係止部３２を有する。第２被係止部は、第１被係止部が第１係止部に係止された状態において、第２係止部の係止面から離間した位置に配置され、第１係止部が第１被係止部から外れて空調機本体が位置ずれした場合に、第１係止部の係止面と当接して第２係止部に係止される。【選択図】図３
2019168141.tif 000002
【特許請求の範囲】
【請求項１】
第１係止部および第２係止部を有し、壁面に固定されるバックハンガーと、
第１被係止部を有し、該第１被係止部が前記第１係止部に係止されることによって前記バックハンガーに支持される空調機本体と
を備え、
前記空調機本体は、
前記第１被係止部が前記第１係止部に係止された状態において、前記第２係止部の係止面から離間した位置に配置され、前記第１係止部が前記第１被係止部から外れて前記空調機本体が位置ずれした場合に、前記係止面と当接して前記第２係止部に係止される第２被係止部を有する、壁掛式空調機。
【請求項２】
前記第２被係止部は、
前記第１被係止部が前記第１係止部に係止された第１係止状態よりも前記空調機本体が傾いた第２係止状態で前記第２係止部に係止される、請求項１に記載の壁掛式空調機。
【請求項３】
前記空調機本体は、左右方向を長手方向とし、
前記第２被係止部は、
前記第２係止状態において、前記第１係止状態よりも前記空調機本体が左右方向に傾いた状態で前記第２係止部に係止される、請求項２に記載の壁掛式空調機。
【請求項４】
前記バックハンガーは、
一対の前記第１係止部を有し、
前記第２被係止部は、
前記第２係止部の前記係止面から上方に離間した位置に配置され、
前記空調機本体は、
一対の前記第１被係止部を有し、一対の前記第１係止部のうち一方が前記第１被係止部から外れた場合に、前記空調機本体の下方への位置ずれに伴って前記第２被係止部が下方へ移動することによって前記第２被係止部が前記第２係止部に係止されて前記第２係止状態となる、請求項３に記載の壁掛式空調機。
【請求項５】
前記第２被係止部は、
前記空調機本体の重心に対して左右方向にずれた位置に配置される、請求項３または４に記載の壁掛式空調機。
【請求項６】
前記第１係止部と前記第２係止部とが、前記バックハンガーに対して一体的に形成される、請求項１〜５のいずれか一つに記載の壁掛式空調機。
【発明の詳細な説明】
【技術分野】
【０００１】
本開示は、壁掛式空調機に関する。
【背景技術】
【０００２】
従来、室内の暖房、送風、換気といった空気調整を行う空調機の一種として、壁掛式空調機が知られている。壁掛式空調機は、壁面に固定されたバックハンガーに空調機本体を引っ掛けることによって壁面に固定される。
【０００３】
この種の壁掛式空調機においては、たとえば、空調機本体に想定外の力が加えられた場合に、空調機本体の取り付け部分が破損して空調機本体が落下する可能性がある。特許文献１には、空調機本体の落下を防止する技術として、空調機本体の取り付け部分が破損した場合に、当該部分に代わってバックハンガーと係合する落下防止部材を空調機本体に設けた壁掛式空調機が開示されている。
【先行技術文献】
【特許文献】
【０００４】
【特許文献１】特開２００９−３０９０９号公報
【発明の概要】
【発明が解決しようとする課題】
【０００５】
本開示は、空調機本体とバックハンガーとの係止状態に異常が生じた場合に、異常が生じたことを使用者に気付かせることができる技術を提供する。
【課題を解決するための手段】
【０００６】
本開示の一態様に係る壁掛式空調機は、第１係止部および第２係止部を有し、壁面に固定されるバックハンガーと、第１被係止部を有し、該第１被係止部が前記第１係止部に係止されることによって前記バックハンガーに支持される空調機本体とを備え、前記空調機本体は、前記第１被係止部が前記第１係止部に係止された状態において、前記第２係止部の係止面から離間した位置に配置され、前記第１係止部が前記第１被係止部から外れて前記空調機本体が位置ずれした場合に、前記係止面と当接して前記第２係止部に係止される第２被係止部を有する。
【０００７】
第２被係止部が第２係止部に係止されることで空調機本体の落下を防止することができる。かかる第２被係止部は、第１被係止部が第１係止部に係止された状態において第２係止部の係止面から離間した位置に配置される。このため、第１係止状態において第２被係止部に負荷が掛かることを抑制することができる。空調機本体は、第１係止部に係止された状態から位置ずれして第２係止部に係止されることから、第１係止部に係止された状態と第２係止部に係止された状態とで、空調機本体の姿勢が変化する。このように空調機本体の姿勢が変化することで、空調機本体とバックハンガーとの係止状態に異常が生じたことを使用者に気付かせることができる。
【０００８】
また、前記第２被係止部は、前記第１被係止部が前記第１係止部に係止された前記第１係止状態よりも前記空調機本体が傾いた第２係止状態で前記第２係止部に係止される。
【０００９】
第２被係止部は、第１係止状態よりも空調機本体が傾いた第２係止状態で第２係止部に係止される。このため、空調機本体とバックハンガーとの係止状態に異常が生じたことを使用者に気付かせることができる。
【００１０】
また、前記空調機本体は、左右方向を長手方向とし、前記第２被係止部は、前記第２係止状態において、前記第１係止状態よりも前記空調機本体が左右方向に傾いた状態で前記第２係止部に係止される。
【００１１】
空調機本体の長手方向が傾くため、空調機本体の短手方向が傾く場合と比較して、異常が生じたことを使用者に気付かせ易い。
【００１２】
また、前記バックハンガーは、一対の前記第１係止部を有し、前記第２被係止部は、前記第２係止部の前記係止面から上方に離間した位置に配置され、前記空調機本体は、一対の前記第１被係止部を有し、一対の前記第１係止部のうち一方が前記第１被係止部から外れた場合に、前記空調機本体の下方への位置ずれに伴って前記第２被係止部が下方へ移動することによって前記第２被係止部が前記第２係止部に係止されて前記第２係止状態となる。
【００１３】
第１係止状態において、第２被係止部は第２係止部の係止面から上方に離間した位置に配置される。このため、一対の第１被係止部のうち一方が第１係止部から外れて、残りの第１被係止部と第２被係止部とでバックハンガーに支持された状態となったときに、空調機本体を左右方向に傾かせることができる。
【００１４】
また、前記第２被係止部は、前記空調機本体の重心に対して左右方向にずれた位置に配置される。
【００１５】
空調機本体の重心に対して左右方向にずれた位置に第２係止部が配置されるため、空調機本体を自重によって左右方向に傾かせることができる。
【００１６】
また、前記第１係止部と前記第２係止部とが、前記バックハンガーに対して一体的に形成される。
【００１７】
第１係止部と第２係止部とがバックハンガーに一体的に形成されるため、第２係止部が設けられていないバックハンガーと同様の施工手順でバックハンガーを固定することができる。言い換えれば、第２係止部を取り付けるための別途の手順を必要としない。また、第２係止部を施工し忘れることもない。
【発明の効果】
【００１８】
本開示によれば、空調機本体とバックハンガーとの係止状態に異常が生じた場合に、異常が生じたことを使用者に気付かせることができる。
【図面の簡単な説明】
【００１９】
【図１】図１は、本開示の一実施形態に係る壁掛式空調機を前面側から見た斜視図である。
【図２】図２は、本開示の一実施形態に係る壁掛式空調機の分解斜視図である。
【図３】図３は、本開示の一実施形態に係る壁掛式空調機の背面図である。
【図４】図４は、バックハンガーを背面側から見た斜視図である。
【図５】図５は、図３に示すV−V線における断面図である。
【図６】図６は、図３に示すVI−VI線における断面図である。
【図７】図７は、第１係止状態における壁掛式空調機の第２被係止部周辺の背面図である。
【図８】図８は、第２係止状態における壁掛式空調機の第２被係止部周辺の背面図である。
【図９】図９は、第２係止状態における壁掛式空調機の背面図である。
【図１０】図１０は、本開示の一実施形態における変形例に係るバックハンガーの模式的な断面図である。
【発明を実施するための形態】
【００２０】
以下に、本開示に係る壁掛式空調機を実施するための形態（以下、「実施形態」と記載する）について図面を参照しつつ詳細に説明する。なお、この実施形態により本開示に係る壁掛式空調機が限定されるものではない。また、各実施形態は、処理内容を矛盾させない範囲で適宜組み合わせることが可能である。また、以下の各実施形態において同一の部位には同一の符号を付し、重複する説明は省略される。
【００２１】
＜１．壁掛式空調機の全体構成＞
まず、本実施形態に係る壁掛式空調機の全体構成について図１〜図３を参照して説明する。図１は、本開示の一実施形態に係る壁掛式空調機を前面側から見た斜視図である。また、図２は、本開示の一実施形態に係る壁掛式空調機の分解斜視図であり、図３は、本開示の一実施形態に係る壁掛式空調機の背面図である。
【００２２】
以下では、位置関係を明確にするために、互いに直交するＸ軸、Ｙ軸およびＺ軸を規定し、Ｚ軸正方向を鉛直上向き方向とする。また、以下では、図１に示す壁面Ｗを背にした人物を基準とする左方（Ｙ軸負方向）、右方（Ｙ軸正方向）、前方（Ｘ軸負方向）、後方（Ｘ軸正方向）を壁掛式空調機１の「左方」、「右方」、「前方」、「後方」と規定する。したがって、たとえば、壁掛式空調機１の「左右方向」はＹ軸方向を意味し、「前後方向」はＸ軸方向を意味する。また、以下では、図１に示す壁掛式空調機１が有する面のうち前方側（Ｘ軸負方向側）の面を「前面」と記載し、後方側（Ｘ軸正方向側）の面を「背面」と記載する。
【００２３】
図１に示す壁掛式空調機１は、たとえば、浴室に隣接する洗面所や脱衣所等の隣室の壁面Ｗに設置される。壁掛式空調機１は、暖房機能を有しており、両側面に設けられた吸込口４１，４１から空気を取り込み、取り込んだ空気を加熱して前面に設けられた吹出口１３から室内に送り出す。なお、壁掛式空調機１は、吸込口４１，４１から取り込んだ空気を加熱することなく吹出口１３から室内へ送り出す送風機能を有していてもよい。
【００２４】
図１に示すように、壁掛式空調機１は、略直方体形状を有しており、左右方向が長手方向となるように壁面Ｗに取り付けられる。
【００２５】
図２に示すように、壁掛式空調機１は、バックハンガー２と、空調機本体３と、表面カバー４とを備える。
【００２６】
＜２．バックハンガー＞
バックハンガー２は、壁面Ｗに固定される金属製の部材である。バックハンガー２は、基部２０と、一対の第１係止部２１，２１と、第２係止部２２とを備え、これらは一体的に形成される。
【００２７】
基部２０は、左右方向に延在する薄板状の部材である。基部２０には、複数の挿通穴２０１が基部２０の長手方向に沿って一定間隔で形成されている。バックハンガー２は、複数の挿通穴２０１のいくつかに挿通された複数のネジ２０２によって壁面Ｗに固定される。
【００２８】
一対の第１係止部２１，２１および第２係止部２２は、基部２０に形成される。ここで、一対の第１係止部２１，２１および第２係止部２２の構成について図４を参照して説明する。図４は、バックハンガー２を背面側から見た斜視図である。
【００２９】
図４に示すように、一対の第１係止部２１，２１は、基部２０の左右両端部に設けられる。各第１係止部２１は、基部２０の上縁から前方に向かって水平に延びる第１係止面２１１と、第１係止面２１１の前端から上方に向かって垂直に延びる第２係止面２１２とを有する。このように、各第１係止部２１は、フック形状を有する。
【００３０】
第２係止部２２は、一対の第１係止部２１，２１の間に設けられる。第２係止部２２は、一方の第１係止部２１と他方の第１係止部２１との中間位置ではなく、この中間位置よりも一方の第１係止部２１側に寄った位置に設けられる。具体的には、図３に示すように、第２係止部２２は、空調機本体３の重心に対して左右方向（ここでは、右方）にずれた位置に配置される。そして、第２係止部２２に対応して設けられる後述する第２被係止部３２も空調機本体３の重心に対して左右方向（ここでは、右方）にずれた位置に配置される。この点については後述する。なお、図３に一点鎖線示す仮想線Ｇは、空調機本体３の重心を通る鉛直線である。
【００３１】
第２係止部２２は、基部２０の上縁から前方に向かって水平に延びる第３係止面２２１と、第３係止面２２１の前端から上方に向かって垂直に延びる第４係止面２２２とを有する。このように、第２係止部２２も第１係止部２１と同様にフック形状を有する。なお、第３係止面２２１は、一対の第１係止部２１，２１が有する第１係止面２１１と同じ高さ位置に設けられ、第４係止面２２２は、一対の第１係止部２１，２１が有する第２係止面２１２と同じ前後位置に設けられる。
【００３２】
＜３．空調機本体＞
図２に戻り、空調機本体３について説明する。空調機本体３は、ケーシング３０を備える。ケーシング３０は、壁掛式空調機１の背面を構成する部材であり、左右方向を長手方向とする。ケーシング３０は、たとえば樹脂で形成される。
【００３３】
ケーシング３０には、暖房機能や送風機能を実現するための各種機器が収容される。たとえば、ケーシング３０には、ファン１１、内部流路１２および吹出口１３が収容される。また、ケーシング３０には、図示しないヒータや温度センサ等が収容される。空調機本体３は、ファン１１が発生させる吸引力を用いて吸込口４１，４１から空気を取り込んで内部流路１２に送り込む。内部流路１２にはヒータが配置されており、内部流路１２に送り込まれた空気は、ヒータによって加熱されて吹出口１３から送り出される。なお、送風の場合は、ヒータがオフされることによって常温の空気が吹出口１３から送り出される。
【００３４】
図３に示すように、空調機本体３は、ケーシング３０の背面上部に、一対の第１被係止部３１，３１と、第２被係止部３２とを備える。一対の第１被係止部３１，３１は、一対の第１係止部２１，２１に対応する位置に配置され、一対の第１係止部２１，２１に係止される。
【００３５】
また、第２被係止部３２は、第２係止部２２に対応する位置に配置され、第２係止部２２に係止される。空調機本体３は、一対の第１被係止部３１，３１が一対の第１係止部２１，２１に係止されることによってバックハンガー２に支持される。なお、ケーシング３０の背面下部の左右両端には、挿通穴３３が１つずつ形成されている。空調機本体３は、各挿通穴３３に挿通されたネジ３３１によって壁面Ｗに固定される。
【００３６】
ここで、一対の第１被係止部３１，３１および第２被係止部３２の構成について図５および図６を参照して説明する。図５は、図３に示すV−V線における断面図である。また、図６は、図３に示すVI−VI線における断面図である。なお、図５には、一方の第１被係止部３１の断面形状を示しているが、他方の第１被係止部３１についても同様である。
【００３７】
図５に示すように、第１被係止部３１は、第１被係止面３１１と第２被係止面３１２とを有する。第１被係止面３１１は、第１係止部２１の第１係止面２１１と対向する位置に設けられる水平面である。第２被係止面３１２は、第１係止部２１の第２係止面２１２と対向する位置に設けられる垂直面であり、第１被係止面３１１の前端から上方に向かって垂直に延びている。
【００３８】
第１被係止部３１は、第１被係止面３１１が第１係止部２１の第１係止面２１１と当接することにより、第１係止部２１に係止された状態となる。なお、第２被係止面３１２は、必ずしも第２係止面２１２と当接していることを要しない。第２被係止面３１２は、たとえば、空調機本体３が前方に位置ずれした場合に、第２係止面２１２と当接することにより、空調機本体３の前方への更なる位置ずれを抑制する。
【００３９】
図６に示すように、第２被係止部３２は、第３被係止面３２１と、第４被係止面３２２と、２つの第５被係止面３２３（図７参照）とを有する。第３被係止面３２１は、第２係止部２２の第３係止面２２１と対向する位置に設けられる水平面である。第４被係止面３２２は、第２係止部２２の第４係止面２２２と対向する位置に設けられる垂直面であり、第３被係止面３２１の前端から上方に向かって垂直に延びている。２つの第５被係止面３２３は、第２係止部２２の左右両側端面に対向する位置に設けられる垂直面であり、第４被係止面３２２の左右両端から前方に向かって延びる。
【００４０】
上述したように、バックハンガー２における一対の第１係止面２１１および第３係止面２２１は、同一の高さ位置に配置される。一方、第２被係止部３２の第３被係止面３２１は、一対の第１被係止部３１の第１被係止面３１１よりも上方に配置される。したがって、一対の第１被係止部３１，３１の両方が一対の第１係止部２１，２１の両方に係止された状態（以下、「第１係止状態」と記載する）において、第２被係止部３２は、第２係止部２２の第３係止面２２１から離間した位置に配置される。このため、空調機本体３がバックハンガー２に対して正常に支持されている第１係止状態において、第２被係止部３２には、空調機本体３の自重による負荷が掛からないようになっている。
【００４１】
＜４．表面カバー＞
図２に戻り、表面カバー４について説明する。表面カバー４は、壁掛式空調機１の背面以外の面、すなわち、前面、左側面、右側面、上面および下面を構成する部材であり、たとえば樹脂で形成される。表面カバー４の左側面および右側面には、空調機本体３と表面カバー４とによって形成される内部空間に空気を取り込むための吸込口４１，４１が形成されている。また、表面カバー４には、前面下部から下面にかけて、吹出口１３を露出させるための切欠部４２が形成されている。
【００４２】
＜５．施工手順＞
次に、壁掛式空調機１の施工手順について説明する。施工者は、まず、複数のネジ２０２を用いてバックハンガー２を壁面Ｗに固定する。バックハンガー２には、一対の第１係止部２１，２１と第２係止部２２とが一体的に形成されるため、第２係止部２２が設けられていないバックハンガーと同様の施工手順でバックハンガー２を固定することができる。言い換えれば、第２係止部２２を取り付けるための別途の手順を必要としない。また、第２係止部２２を施工し忘れることもない。
【００４３】
つづいて、施工者は、バックハンガー２に形成された一対の第１係止部２１，２１に、空調機本体３を引っ掛ける。具体的には、空調機本体３の背面に形成された一対の第１被係止部３１，３１の各第１被係止面３１１を一対の第１係止部２１，２１の各第１係止面２１１と当接させることにより、一対の第１被係止部３１，３１を一対の第１係止部２１，２１に係止させる。これにより、空調機本体３がバックハンガー２に支持された状態となる。その後、施工者は、ケーシング３０下部の左右２箇所に設けられた２つの挿通穴３３にそれぞれネジ３３１を挿通し、各ネジ３３１を壁面Ｗに固定する。これにより、空調機本体３が壁面Ｗに固定される。
【００４４】
つづいて、施工者は、空調機本体３に表面カバー４を取り付ける。これにより、壁掛式空調機１の壁面Ｗへの設置が完了する。
【００４５】
＜６．空調機本体の落下防止機能について＞
壁掛式空調機１においては、たとえば子供がぶら下がるなどして空調機本体３に想定外の力が加えられた場合に、一対の第１被係止部３１，３１の一方もしくは両方が破損する可能性がある。この場合、空調機本体３がバックハンガー２に正常に支持された状態が保たれなくなる。特許文献１に記載の技術では、空調機本体のバックハンガーへの取り付け部分が破損した場合に、当該部分に代わってバックハンガーと係合する落下防止部材を空調機本体に取り付けることで、空調機本体の落下を防止することとしている。しかしながら、特許文献１に記載の技術では、落下防止部材で空調機本体を支持している状態、言い換えれば、空調機本体とバックハンガーとの係止状態に異常が生じている状態において、異常が生じたことを使用者に気付かせることが困難である。
【００４６】
本実施形態に係る壁掛式空調機１では、一対の第１被係止部３１，３１の一方もしくは両方が仮に破損して空調機本体３が位置ずれを起こした場合に、第２被係止部３２が第２係止部２２に係止されることにより、空調機本体３の落下を防止することとした。また、本実施形態に係る壁掛式空調機１では、第２被係止部３２が第２係止部２２に係止された第２係止状態となったときに、空調機本体３が傾くようにした。これにより、使用者は、傾いた空調機本体３を目視することで、空調機本体３とバックハンガー２との係止状態に異常が生じていることに容易に気付くことができる。
【００４７】
この点について図７〜図９を参照して説明する。図７は、第１係止状態における壁掛式空調機１の第２被係止部３２周辺の背面図であり、図８は、第２係止状態における壁掛式空調機１の第２被係止部３２周辺の背面図である。また、図９は、第２係止状態における壁掛式空調機１の背面図である。
【００４８】
図７に示すように、一対の第１被係止部３１，３１が一対の第１係止部２１，２１に係止された第１係止状態において、第２被係止部３２は、第２係止部２２から離間した位置に配置される。具体的には、第２被係止部３２の第３被係止面３２１は、第２係止部２２の第３係止面２２１に対して上方に離間しており、第２被係止部３２の第４被係止面３２２は、第２係止部２２の第４係止面２２２に対して後方に離間している。また、第２被係止部３２の２つの第５被係止面３２３は、それぞれ第２係止部２２の左端面２２３に対して左方に、右端面２２４に対して右方に離間している。
【００４９】
第１係止状態において、たとえば、一対の第１被係止部３１，３１のうち左側の第１被係止部３１が破損等によって第１係止部２１から外れたとする。また、このとき、空調機本体３を壁面Ｗに直接固定している２つのネジ３３１も各挿通穴３３から外れたとする。この場合、空調機本体３は、下方への位置ずれを起こし、第２被係止部３２も、空調機本体３の下方への位置ずれに伴って下方へ移動する。
【００５０】
この結果、図８に示すように、第２被係止部３２の第３被係止面３２１が第２係止部２２の第３係止面２２１と当接することで、空調機本体３の下方への落下が防止される。また、第２被係止部３２の右側の第５被係止面３２３が第２係止部２２の右端面２２４と当接することで、空調機本体３の左右方向（ここでは、左方）への滑落が防止される。
【００５１】
上述したように、第２係止部２２の第３係止面２２１が第１係止部２１の第１係止面２１１と同一の高さ位置に配置されるのに対し、第２被係止部３２の第３被係止面３２１は、第１被係止部３１の第１被係止面３１１よりも上方に配置されている。このため、空調機本体３は、一対の第１被係止部３１，３１のうち一方と第２被係止部３２とでバックハンガー２に支持された状態となることで、左右方向に傾くこととなる。ここでは、右側の第１被係止部３１と第２被係止部３２とでバックハンガー２に支持された状態であるため、空調機本体３は、図９に示すように、左方方向に傾いた状態でバックハンガー２に支持されることとなる。
【００５２】
このように、第２係止状態において、空調機本体３は、第１係止状態よりも左右方向に傾く。すなわち、空調機本体３の長手方向が傾くため、空調機本体３とバックハンガー２との係止状態に異常が生じたことを使用者に気付かせ易い。
【００５３】
ここでは、一対の第１被係止部３１，３１のうち一方が第１係止部２１から外れた場合について説明したが、空調機本体３は、一対の第１被係止部３１，３１の両方が第１係止部２１の両方から外れた場合も、第１係止状態よりも左右方向に傾いた状態となる。
【００５４】
すなわち、上述したように、第２係止部２２は、空調機本体３の重心に対して左右方向にずれた位置に配置されている（図３参照）。また、第２係止部２２に対応して設けられる第２被係止部３２も、空調機本体３の重心に対して左右方向にずれた位置に配置される。仮に一対の第１被係止部３１，３１の両方が第１係止部２１から外れた場合、空調機本体３は、第２被係止部３２のみでバックハンガー２に支持された状態となる。このとき、第２係止部２２および第２被係止部３２は、空調機本体３の重心に対して左右方向（ここでは、右方）にずれた位置に配置されているため、空調機本体３は、自重によって左方に傾いた状態でバックハンガー２に支持されることとなる。
【００５５】
このように、空調機本体３の重心に対して左右方向にずれた位置に第２係止部２２および第２被係止部３２を配置することで、第２係止状態となったときに、空調機本体３を自重で傾かせることができる。
【００５６】
上述してきたように、本開示の一態様に係る壁掛式空調機１は、バックハンガー２と、空調機本体３とを備える。バックハンガー２は、第１係止部２１および第２係止部２２を有し、壁面Ｗに固定される。空調機本体３は、第１被係止部３１を有し、第１被係止部３１が第１係止部２１に係止されることによってバックハンガー２に支持される。また、空調機本体３は、第２被係止部３２を有する。第２被係止部３２は、第１被係止部３１が第１係止部２１に係止された状態（第１係止状態）において、第２係止部２２の係止面（第３係止面２２１）から離間した位置に配置され、第１係止部２１が第１被係止部３１から外れて空調機本体３が位置ずれした場合に、係止面（第３係止面２２１）と当接して第２係止部２２に係止される。
【００５７】
したがって、本開示の一実施形態に係る壁掛式空調機１によれば、空調機本体３とバックハンガー２との係止状態に異常が生じた場合に、異常が生じたことを使用者に気付かせることができる。
【００５８】
＜７．変形例＞
上述してきた実施形態では、第２係止状態において、空調機本体３が第１係止状態よりも左右方向に傾くことで、異常が生じたことを使用者に気付かせることとした。しかし、空調機本体３を傾かせる方向は、左右方向に限定されず、前後方向であってもよい。かかる場合の変形例について図１０を参照して説明する。図１０は、本開示の一実施形態における変形例に係るバックハンガーの模式的な断面図である。
【００５９】
たとえば、図１０に示すように、バックハンガー２Ａは、第１係止部２１の第１係止面２１１よりも前方に延在する第３係止面２２１Ａと、この第３係止面２２１Ａの前端から上方に向かって垂直に延びる第４係止面２２２Ａとを有する第２係止部２２Ａを備えていてもよい。第１被係止部３１の第２被係止面３１２と第２被係止部３２の第４被係止面３２２とは、前後方向において同じ位置に配置されている。したがって、空調機本体３に対して前方に力が加えられた場合、まず、第１被係止部３１の第２被係止面３１２が第１係止部２１の第２係止面２１２と当接して第１被係止部３１が第１係止部２１に係止されることにより、空調機本体３の前方への位置ずれが防止される。
【００６０】
しかし、想定外の力が空調機本体３に加えられて、仮に、第１被係止部３１が破損した場合、空調機本体３は、再び前方へ位置ずれするが、第２被係止部３２の第４被係止面３２２が第２係止部２２Ａの第４係止面２２２Ａと当接して第２被係止部３２が第２係止部２２Ａに係止されることにより、空調機本体３の前方への位置ずれが防止される。このとき、空調機本体３は、第１係止状態よりも前方に傾いた状態でバックハンガー２Ａに支持された状態となるため、使用者は、空調機本体３とバックハンガー２Ａとの係止状態に異常が生じたことに気付くことができる。
【００６１】
また、図１０に示した例に限らず、たとえば、第２被係止部３２の第４被係止面３２２を第１被係止部３１の第２被係止面３１２よりも後方に配置させることとしてもよい。かかる場合、第１係止面２１１と第４係止面２２２とが前後方向において同じ位置に配置されるバックハンガー２を用い、図１０と同じように、第２係止状態において空調機本体３を前方に傾かせた状態でバックハンガー２に支持させることができる。
【００６２】
上述した実施形態では、空調機本体３が一対の第１被係止部３１を備える場合の例について説明したが、壁掛式空調機１は、１つの第１被係止部３１を有する空調機本体３と、１つの第１係止部２１を有するバックハンガー２とを備える構成であってもよい。また、壁掛式空調機１は、３つ以上の第１被係止部３１を有する空調機本体３と、３つ以上の第１係止部２１を有するバックハンガー２とを備える構成であってもよい。
【００６３】
また、上述した実施形態では、第２被係止部３２が、空調機本体３の重心に対して左右方向にずれた位置に配置される場合の例について説明したが、第２被係止部３２は、空調機本体３の重心を通る鉛直線上に配置されてもよい。この場合、たとえば、第２被係止部３２は、第１係止状態において左右方向に傾く第３被係止面３２１を有していてもよい。これにより、第２被係止部３２が第２係止部２２に係止された状態となったときに、第３被係止面３２１が第３係止面２２１に倣って水平向きとなり、これに伴い、空調機本体３が左右方向に傾く。このように、第２被係止部３２が空調機本体３の重心を通る鉛直線上に配置される場合であっても、空調機本体３を左右方向に傾かせることができる。
【００６４】
また、上述した実施形態では、空調機本体３を傾かせることで使用者に異常を気付かせることとした。しかし、空調機本体３は、第１係止部２１，２１に係止された状態から位置ずれして第２係止部２２に係止されることから、第１係止部２１，２１に係止された状態と第２係止部２２に係止された状態とで、空調機本体３の姿勢は必然的に変化する。したがって、空調機本体３を傾かせなくても、空調機本体３の姿勢が変化することで、空調機本体３とバックハンガー２との係止状態に異常が生じたことを使用者に気付かせることが可能である。
【００６５】
また、上述した実施形態では、壁掛式空調機１が、浴室に隣接する洗面所や脱衣所等の隣室の壁面Ｗに設置される場合の例について説明したが、壁掛式空調機１の設置場所は、上記隣室に限定されない。また、上述した実施形態では、壁掛式空調機１が暖房機能を有する場合の例について説明したが、壁掛式空調機１は、暖房機能以外の空気調節機能を有する空調機であってもよい。
【００６６】
今回開示された実施形態は全ての点で例示であって制限的なものではないと考えられるべきである。実に、上記した実施形態は多様な形態で具現され得る。また、上記の実施形態は、添付の請求お範囲及びその趣旨を逸脱することなく、様々な形態で省略、置換、変更されてもよい。
【符号の説明】
【００６７】
１  壁掛式空調機
２  バックハンガー
３  空調機本体
４  表面カバー
２１  第１係止部
２２  第２係止部
３１  第１被係止部
３２  第２被係止部
２１１  第１係止面
２１２  第２係止面
２２１  第３係止面
２２２  第４係止面
３１１  第１被係止面
３１２  第２被係止面
３２１  第３被係止面
３２２  第４被係止面
【図１】
2019168141.tif 000003
【図２】
2019168141.tif 000004
【図３】
2019168141.tif 000005
【図４】
2019168141.tif 000006
【図５】
2019168141.tif 000007
【図６】
2019168141.tif 000008
【図７】
2019168141.tif 000009
【図８】
2019168141.tif 000010
【図９】
2019168141.tif 000011
【図１０】
2019168141.tif 000012